【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】
レバーを前後に動かすことにより、給水および止水を行なう水栓において、レバーは、ばねにより所定の位置に付勢され、前記ばねは、断面略コの字形状をしており、かつ開口端部が内側に傾いており、この開口端部により、レバーを挟み込んで付勢することを特徴とする水栓。
【請求項２】
カートリッジ内に通水路を形成した弁座とバルブとを設け、かつ、カートリッジ上側にレバーガイドを設けて、レバーガイドにピンを軸としてレバーを取りつけてなり、さらに、このレバーガイドに沿ってかつピンを軸としてレバーを前後に動かして、前記弁座に対してバルブを摺動させて相互の通水路を重ねたりずらしたりすることで給水および止水を行なう水栓において、
レバーガイドとレバーとの間にばねを設け、このばねの弾性力によりレバーが、所定の位置に付勢され、前記ばねは、断面略コの字形状をしており、かつ開口端部が内側に傾いており、この開口端部により、レバーを挟み込んで付勢することを特徴とする水栓。
【請求項３】
レバーを前後に動かすことにより、給水および止水を行なう水栓において、レバーは、ばねにより所定の位置に付勢され、前記レバーの側部に、段部を形成しておき、かつ、この段部をばねが押し上げるようにしてレバーが所定の位置に付勢されることを特徴とする水栓。
【請求項４】
カートリッジ内に通水路を形成した弁座とバルブとを設け、かつ、カートリッジ上側にレバーガイドを設けて、レバーガイドにピンを軸としてレバーを取りつけてなり、さらに、このレバーガイドに沿ってかつピンを軸としてレバーを前後に動かして、前記弁座に対してバルブを摺動させて相互の通水路を重ねたりずらしたりすることで給水および止水を行なう水栓において、
レバーガイドとレバーとの間にばねを設け、このばねの弾性力によりレバーが、所定の位置に付勢され、前記レバーの側部に、段部を形成しておき、かつ、この段部をばねが押し上げるようにしてレバーが所定の位置に付勢されることを特徴とする水栓。
【手続補正２】
【補正対象書類名】明細書
【補正対象項目名】００１０
【補正方法】変更
【補正の内容】
【００１０】
【課題を解決するための手段および作用・効果】
上記課題を解決すべく、本発明の請求項１では、レバーを前後に動かすことにより、給水および止水を行なう水栓において、レバーは、ばねにより所定の位置に付勢され、前記ばねは、断面略コの字形状をしており、かつ開口端部が内側に傾いており、この開口端部により、レバーを挟み込んで付勢することを特徴とする水栓とした。
【手続補正３】
【補正対象書類名】明細書
【補正対象項目名】００１１
【補正方法】変更
【補正の内容】
【００１１】
これにより、ばねによりレバーを付勢することができるので、レバーに取付けられるハンドルの自重により、勝手にハンドルが動くことなく、ハンドルを動かした位置に止めておくことができる。したがって、使用している間にハンドルが勝手に動くことがなく、給水量の変動を抑えることができる。また、断面略コの字形状のばねの開口端部がレバーを挟み込んで付勢することができるので、ハンドルの自重により勝手にハンドルが動くことなく、ハンドルを動かした位置に止めておくことができる。
【手続補正４】
【補正対象書類名】明細書
【補正対象項目名】００１２
【補正方法】変更
【補正の内容】
【００１２】
本発明の請求項２では、カートリッジ内に通水路を形成した弁座とバルブとを設け、かつ、カートリッジ上側にレバーガイドを設けて、レバーガイドにピンを軸としてレバーを取りつけてなり、さらに、このレバーガイドに沿ってかつピンを軸としてレバーを前後に動かすことで前記弁座に対して、バルブを摺動させて相互の通水路を重ねたりずらしたりすることで給水および止水を行なう水栓において、レバーガイドとレバーとの間にばねを設け、このばねの弾性力によりレバーが、所定の位置に付勢され、前記ばねは、断面略コの字形状をしており、かつ開口端部が内側に傾いており、この開口端部により、レバーを挟み込んで付勢することを特徴とする。
【手続補正５】
【補正対象書類名】明細書
【補正対象項目名】００１３
【補正方法】変更
【補正の内容】
【００１３】
これにより、ばねによりレバーを付勢することができるので、レバーに取付けられるハンドルの自重により、勝手にハンドルが動くことなく、ハンドルを動かした位置に止めておくことができる。したがって、使用している間にハンドルが勝手に動いて、バルブが摺動することがなく、給水量の変動を抑えることができる。また、断面略コの字形状のばねの開口端部がレバーを挟み込んで付勢することができるので、ハンドルの自重により勝手にハンドルが動くことなく、ハンドルを動かした位置に止めておくことができる。
【手続補正６】
【補正対象書類名】明細書
【補正対象項目名】００１４
【補正方法】変更
【補正の内容】
【００１４】
本発明の請求項３では、レバーを前後に動かすことにより、給水および止水を行なう水栓において、レバーは、ばねにより所定の位置に付勢され、前記レバーの側部に、段部を形成しておき、かつ、この段部をばねが押し上げるようにしてレバーが所定の位置に付勢されることを特徴とする。
【手続補正７】
【補正対象書類名】明細書
【補正対象項目名】００１５
【補正方法】変更
【補正の内容】
【００１５】
これにより、ばねによりレバーを付勢することができるので、レバーに取付けられるハンドルの自重により、勝手にハンドルが動くことなく、ハンドルを動かした位置に止めておくことができる。したがって、使用している間にハンドルが勝手に動くことがなく、給水量の変動を抑えることができる。また、ばねの弾性力によりレバーを押し上げて付勢することができるので、ハンドルの自重により勝手にハンドルが動くことなく、ハンドルを動かした位置に止めておくことができる。
【手続補正８】
【補正対象書類名】明細書
【補正対象項目名】００１６
【補正方法】変更
【補正の内容】
【００１６】
本発明の請求項４では、カートリッジ内に通水路を形成した弁座とバルブとを設け、かつ、カートリッジ上側にレバーガイドを設けて、レバーガイドにピンを軸としてレバーを取りつけてなり、さらに、このレバーガイドに沿ってかつピンを軸としてレバーを前後に動かして、前記弁座に対してバルブを摺動させて相互の通水路を重ねたりずらしたりすることで給水および止水を行なう水栓において、  レバーガイドとレバーとの間にばねを設け、このばねの弾性力によりレバーが、所定の位置に付勢され、前記レバーの側部に、段部を形成しておき、かつ、この段部をばねが押し上げるようにしてレバーが所定の位置に付勢されることを特徴とする。
【手続補正９】
【補正対象書類名】明細書
【補正対象項目名】００１７
【補正方法】変更
【補正の内容】
【００１７】
これにより、ばねによりレバーを付勢することができるので、レバーに取付けられるハンドルの自重により、勝手にハンドルが動くことなく、ハンドルを動かした位置に止めておくことができる。したがって、使用している間にハンドルが勝手に動いて、バルブが摺動することがなく、給水量の変動を抑えることができる。また、ばねの弾性力によりレバーを押し上げて付勢することができるので、ハンドルの自重により勝手にハンドルが動くことなく、ハンドルを動かした位置に止めておくことができる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】